(57)【要約】【課題】ユーザが表示装置を操作することによって、携帯情報端末に、ハードウェアキーに対応付けられた処理を実行させることができる表示装置を提供する。【解決手段】スマートフォン１００との間でデータを共有するために利用され、スマートフォン１００からスマートフォン１００が備えるハードウェアキーに対応した処理の識別情報が書き込まれる第２共有メモリ２２２と、識別情報を第２共有メモリ２２２から読み込むことにより、スマートフォン１００から識別情報を受信する第２識別情報受信部２２４と、識別情報が選択されたことを示す情報を、第２共有メモリ２２２に書き込むことによりスマートフォン１００に送信する第２識別情報送信部２３０とを備える。【選択図】図３
2014075094.tif 000002
【特許請求の範囲】
【請求項１】
携帯情報端末との間でデータを共有するために利用され、前記携帯情報端末から前記携帯情報端末が備えるハードウェアキーに対応した処理の識別情報が書き込まれる共有メモリと、
前記識別情報を前記共有メモリから読み込むことにより、前記携帯情報端末から前記識別情報を受信する識別情報受信部と、
前記識別情報が選択されたことを示す情報を、前記共有メモリに書き込むことにより前記携帯情報端末に送信する識別情報送信部と
を備える表示装置。
【請求項２】
さらに、
前記識別情報受信部が受信した前記識別情報をメニュー項目とするメニュー情報を画面に表示する表示制御部と、
前記メニュー情報に含まれるメニュー項目のうち、ユーザにより選択されたメニュー項目を示す選択信号を受信する選択信号受信部とを備え、
前記識別情報送信部は、前記選択信号受信部が受信した前記選択信号が示すメニュー項目に対応する識別情報が選択されたことを示す情報を、前記共有メモリに書き込むことにより前記携帯情報端末に送信する
請求項１記載の表示装置。
【請求項３】
前記識別情報受信部は、さらに、前記携帯情報端末が備える２以上のハードウェアキーを同時に押すことにより実行される前記携帯情報端末の処理の識別情報を前記共有メモリから読み込むことにより、前記携帯情報端末から前記識別情報を受信する
請求項２記載の表示装置。
【請求項４】
前記携帯情報端末は、ＭＨＬ（Ｍｏｂｉｌｅ  Ｈｉｇｈ−ｄｅｆｉｎｉｔｉｏｎ  Ｌｉｎｋ）のスクラッチパッドである第１スクラッチパッドを備え、
前記共有メモリは、前記ＭＨＬのスクラッチパッドである第２スクラッチパッドであり、
前記識別情報受信部は、前記携帯情報端末が前記第１スクラッチパッドに書き込むことにより前記第２スクラッチパッドに書き込まれた前記識別情報を、前記第２スクラッチパッドから読み込むことにより、前記携帯情報端末から前記識別情報を受信する
請求項２または３に記載の表示装置。
【請求項５】
前記第１スクラッチパッドおよび前記第２スクラッチパッドの各々は、前記携帯情報端末の処理毎に、当該処理の識別情報と当該処理に対応する選択信号を受信したか否かを示すフラグ情報とを記憶しており、
前記識別情報送信部は、前記第２スクラッチパッドに記憶されているフラグ情報であって、前記選択信号受信部が受信した前記選択信号に対応する処理のフラグ情報を更新することにより、前記第１スクラッチパッドに記憶されているフラグ情報を更新することで、前記選択信号受信部が受信した前記選択信号に対応する識別情報を前記携帯情報端末に送信する
請求項４記載の表示装置。
【請求項６】
さらに、
前記携帯情報端末から、前記ハードウェアキーのアイコン画像を受信する画像受信部と、
前記アイコン画像を画面に表示する表示制御部と、
前記画面に表示されているアイコン画像の選択信号を受信する選択信号受信部とを備え、
前記識別情報送信部は、前記選択信号受信部が受信した前記選択信号が示す前記アイコン画像に対応するハードウェアキーに対応する処理の識別情報が選択されたことを示す情報を、前記共有メモリに書き込むことにより前記携帯情報端末に送信する
請求項１記載の表示装置。
【請求項７】
携帯情報端末と、
表示装置と
を備え、
前記携帯情報端末は、
前記表示装置との間でデータを共有するために利用される第１共有メモリと、
前記携帯情報端末が備えるハードウェアキーに対応した処理の識別情報を前記第１共有メモリに書き込むことにより、前記表示装置に送信する第１識別情報送信部と、
前記表示装置において前記携帯情報端末の処理の識別情報が選択されたことを示す情報を、前記第１共有メモリから読み込むことにより前記表示装置から受信する第１識別情報受信部と、
前記第１識別情報受信部が受信した前記情報に対応する前記識別情報が示す処理を実行する処理実行部と
を有し、
前記表示装置は、
前記前記携帯情報端末との間でデータを共有するために利用され、前記第１共有メモリとデータの内容が同期している第２共有メモリと、
前記携帯情報端末の処理の識別情報を前記第２共有メモリから読み込むことにより、前記携帯情報端末から前記識別情報を受信する第２識別情報受信部と、
前記選択信号受信部が受信した前記識別情報が選択されたことを示す情報を、前記第２共有メモリに書き込むことにより前記携帯情報端末に送信する第２識別情報送信部と
を有する
表示システム。
【請求項８】
表示装置との間でデータを共有するために利用される共有メモリと、
ハードウェアキーに対応した処理の識別情報を前記共有メモリに書き込むことにより、前記表示装置に送信する識別情報送信部と、
前記表示装置において前記共有メモリに書き込まれた、前記識別情報が選択されたことを示す情報を、前記共有メモリから読み込むことにより前記表示装置から受信する識別情報受信部と、
前記識別情報受信部が受信した前記情報に対応する前記識別情報が示す処理を実行する処理実行部と
を備える携帯情報端末。
【請求項９】
携帯情報端末と接続された表示装置の制御方法であって、
前記表示装置は、前記携帯情報端末との間でデータを共有するために利用され、前記携帯情報端末から前記携帯情報端末が備えるハードウェアキーに対応した処理の識別情報が書き込まれる共有メモリを備え、
前記表示装置の制御方法は、
前記識別情報を前記共有メモリから読み込むことにより、前記携帯情報端末から前記識別情報を受信する識別情報受信ステップと、
前記選択信号受信ステップにおいて受信された前記識別情報が選択されたことを示す情報を、前記共有メモリに書き込むことにより前記携帯情報端末に送信する識別情報送信ステップと
を含む表示装置の制御方法。
【発明の詳細な説明】
【技術分野】
【０００１】
本発明は表示装置に関し、特に、携帯情報端末に接続され、当該携帯情報端末から受信した映像を表示する表示装置に関する。
【背景技術】
【０００２】
従来、スマートフォンとテレビとを接続し、スマートフォンの充電およびスマートフォンでデコードされた映像信号のテレビへの送信を実現するための通信インタフェースの規格として、ＭＨＬ（Ｍｏｂｉｌｅ  Ｈｉｇｈ−ｄｅｆｉｎｉｔｉｏｎ  Ｌｉｎｋ）が提案されている（例えば、特許文献１参照）。ＭＨＬは、スマートフォンなどに代表される携帯情報端末向けの高速に映像を伝送するためのインタフェースの規格である。
【０００３】
ＭＨＬにおいては、テレビのリモートコントローラ（以下、「リモコン」という）を用いて、スマートフォンの標準的なキーの操作を行うことができる。例えば、ユーザがリモコンのカーソルキーを操作することにより、スマートフォンの画面に表示されているカーソルを移動させることができる。
【先行技術文献】
【特許文献】
【０００４】
【特許文献１】特開２０１１−２４４３９１号公報
【発明の概要】
【発明が解決しようとする課題】
【０００５】
しかしながら、スマートフォンの画面外に配置されている物理的なキーであるハードウェアキーの操作については、ＭＨＬではサポートされていない。このため、テレビのリモコンを用いて操作することのできないスマートフォンの処理が存在する。
【０００６】
図２０〜図２２は、スマートフォンのハードウェアキーの部分の一例を示す外観図である。図２０に示すスマートフォンには、左から、戻るキー１００１、メニューキー１００２、検索キー１００３、ホームキー１００４の順でハードウェアキーが並んでいる。図２１に示すスマートフォンは、図２０に示すスマートフォンと同じ種類のハードウェアキーを備えているが、その配置が異なる。つまり、図２１に示すスマートフォンには、左から、戻るキー１００１、メニューキー１００２、ホームキー１００４、検索キー１００３の順でハードウェアキーが並んでいる。図２２に示すスマートフォンは、図２０または図２１に示すスマートフォンに備えられているメニューキー１００２と検索キー１００３とが備えられておらず、図２０または図２１に示すスマートフォンが備えていないタスクキー１００５を備えている。つまり、図２２に示すスマートフォンには、左から、タスクキー１００５、ホームキー１００４、戻るキー１００１の順でハードウェアキーが並んでいる。ユーザがいずれかのハードウェアキーを押すことにより、スマートフォンは押されたハードウェアキーに対応付けられた処理を実行する。例えば、ユーザが検索キー１００３を押した場合には、スマートフォンは、検索サイトに接続し、検索サイトのウェブページを画面に表示する。しかし、テレビのリモコンを用いては、このような検索処理をスマートフォンに実行させることができない。
【０００７】
上述したように、スマートフォンのハードウェアキーの操作については、ＭＨＬではサポートされていない。それに加え、スマートフォンによって、ハードウェアキーの配置や種類が異なる。このため、テレビ（表示装置）を操作することによって、スマートフォン（携帯情報端末）に、ハードウェアキーに対応付けられた処理を実行させることが困難である。
【０００８】
本発明は上述の課題を解決するためになされたものであり、ユーザが表示装置を操作することによって、携帯情報端末に、ハードウェアキーに対応付けられた処理を実行させることができる表示装置等を提供することを目的とする。
【課題を解決するための手段】
【０００９】
上記目的を達成するために、本発明の一態様に係る表示装置は、携帯情報端末との間でデータを共有するために利用され、前記携帯情報端末から前記携帯情報端末が備えるハードウェアキーに対応した処理の識別情報が書き込まれる共有メモリと、前記識別情報を前記共有メモリから読み込むことにより、前記携帯情報端末から前記識別情報を受信する識別情報受信部と、前記識別情報が選択されたことを示す情報を、前記共有メモリに書き込むことにより前記携帯情報端末に送信する識別情報送信部とを備える。
【００１０】
この構成によると、表示装置は、共有メモリを介して、携帯情報端末から、携帯情報端末のハードウェアキーに対応付けられた処理の識別情報を受信する。識別情報送信部は、識別情報が選択されたことを示す情報を、共有メモリを介して携帯情報端末に送信する。このため、携帯情報端末では、表示装置側で選択された識別情報に対応する処理を実行することができる。ユーザは、表示装置を操作することによって、携帯情報端末に、ハードウェアキーに対応付けられた処理を実行させることができる。また、識別情報受信部が携帯情報端末から識別情報を受信する。このため、いかなる種類の携帯情報端末が表示装置に接続されようとも、ユーザは、表示装置を操作することによって、携帯情報端末に、ハードウェアキーに対応付けられた処理を実行させることができる。
【００１１】
また、上述の表示装置は、さらに、前記識別情報受信部が受信した前記識別情報をメニュー項目とするメニュー情報を画面に表示する表示制御部と、前記メニュー情報に含まれるメニュー項目のうち、ユーザにより選択されたメニュー項目を示す選択信号を受信する選択信号受信部とを備え、前記識別情報送信部は、前記選択信号受信部が受信した前記選択信号が示すメニュー項目に対応する識別情報が選択されたことを示す情報を、前記共有メモリに書き込むことにより前記携帯情報端末に送信しても良い。
【００１２】
この構成によると、表示装置は受信した識別情報をメニュー情報として画面に表示することで、ユーザに、表示装置のリモコンなどを用いて識別情報を選択させることができる。識別情報送信部は、メニュー情報に含まれるいずれかの識別情報が選択されたことを示す情報を、共有メモリを介して携帯情報端末に送信する。このため、携帯情報端末では、表示装置側で選択された識別情報に対応する処理を実行することができる。このように、ユーザは、表示装置を操作することによって、携帯情報端末に、ハードウェアキーに対応付けられた処理を実行させることができる。また、識別情報受信部が携帯情報端末から識別情報を受信する。このため、いかなる種類の携帯情報端末が表示装置に接続されようとも、ユーザは、表示装置を操作することによって、携帯情報端末に、ハードウェアキーに対応付けられた処理を実行させることができる。
【００１３】
例えば、前記識別情報受信部は、さらに、前記携帯情報端末が備える２以上のハードウェアキーを同時に押すことにより実行される前記携帯情報端末の処理の識別情報を前記共有メモリから読み込むことにより、前記携帯情報端末から前記識別情報を受信しても良い。
【００１４】
この構成によると、２以上のハードウェアキーを同時に押すことにより実行される処理を、ユーザが表示装置を操作することにより、携帯情報端末に実行させることができる。
【００１５】
また、前記携帯情報端末は、ＭＨＬ（Ｍｏｂｉｌｅ  Ｈｉｇｈ−ｄｅｆｉｎｉｔｉｏｎ  Ｌｉｎｋ）のスクラッチパッドである第１スクラッチパッドを備え、前記共有メモリは、前記ＭＨＬのスクラッチパッドである第２スクラッチパッドであり、前記識別情報受信部は、前記携帯情報端末が前記第１スクラッチパッドに書き込むことにより前記第２スクラッチパッドに書き込まれた前記識別情報を、前記第２スクラッチパッドから読み込むことにより、前記携帯情報端末から前記識別情報を受信しても良い。
【００１６】
ＭＨＬには、互いにＭＨＬケーブル等で接続されたソース機器およびシンク機器の双方のスクラッチパッドに記憶されているデータの同期を取る仕組みがある。すなわち、第１スクラッチパッドおよび第２スクラッチパッドの一方に記憶されているデータを、データの追加、変更、削除等により更新した場合には、他方にもその更新が反映される。このため、携帯情報端末は第１スクラッチパッドに識別情報を書き込むことで、同じ識別情報が第２スクラッチパッドにも書き込まれる。よって、識別情報受信部が、第２スクラッチパッドから識別情報を読み込むことにより、携帯情報端末から識別情報を受信することができ、簡易な方法で識別情報を受信することができる。
【００１７】
また、前記第１スクラッチパッドおよび前記第２スクラッチパッドの各々は、前記携帯情報端末の処理毎に、当該処理の識別情報と当該処理に対応する選択信号を受信したか否かを示すフラグ情報とを記憶しており、前記識別情報送信部は、前記第２スクラッチパッドに記憶されているフラグ情報であって、前記選択信号受信部が受信した前記選択信号に対応する処理のフラグ情報を更新することにより、前記第１スクラッチパッドに記憶されているフラグ情報を更新することで、前記選択信号受信部が受信した前記選択信号に対応する識別情報を前記携帯情報端末に送信しても良い。
【００１８】
この構成によると、第２スクラッチパッドに記憶されているフラグ情報を更新することにより、第１スクラッチパッドに記憶されているフラグ情報が更新される。このため、識別情報送信部は、簡易な方法で選択された識別情報を携帯情報端末に通知することができる。
【００１９】
また、上述の表示装置は、さらに、前記携帯情報端末から、前記ハードウェアキーのアイコン画像を受信する画像受信部と、前記アイコン画像を画面に表示する表示制御部と、前記画面に表示されているアイコン画像の選択信号を受信する選択信号受信部とを備え、前記識別情報送信部は、前記選択信号受信部が受信した前記選択信号が示す前記アイコン画像に対応するハードウェアキーに対応する処理の識別情報が選択されたことを示す情報を、前記共有メモリに書き込むことにより前記携帯情報端末に送信しても良い。
【００２０】
この構成によると、表示装置の画面に携帯情報端末のハードウェアキーのアイコン画像が表示される。ユーザは、表示装置のリモコン等を操作してアイコン画像を選択することで、携帯情報端末を操作することができる。このため、ユーザは、メニュー情報から識別情報を選択する場合に比べて、直感的に携帯情報端末の処理の識別情報を選択することができる。
【００２１】
本発明の他の一態様に係る表示システムは、携帯情報端末と、表示装置とを備え、前記携帯情報端末は、前記表示装置との間でデータを共有するために利用される第１共有メモリと、前記携帯情報端末が備えるハードウェアキーに対応した処理の識別情報を前記第１共有メモリに書き込むことにより、前記表示装置に送信する第１識別情報送信部と、前記表示装置において前記携帯情報端末の処理の識別情報が選択されたことを示す情報を、前記第１共有メモリから読み込むことにより前記表示装置から受信する第１識別情報受信部と、前記第１識別情報受信部が受信した前記情報に対応する前記識別情報が示す処理を実行する処理実行部とを有し、前記表示装置は、前記前記携帯情報端末との間でデータを共有するために利用され、前記第１共有メモリとデータの内容が同期している第２共有メモリと、前記携帯情報端末の処理の識別情報を前記第２共有メモリから読み込むことにより、前記携帯情報端末から前記識別情報を受信する第２識別情報受信部と、前記選択信号受信部が受信した前記識別情報が選択されたことを示す情報を、前記第２共有メモリに書き込むことにより前記携帯情報端末に送信する第２識別情報送信部とを有する。
【００２２】
この構成によると、表示装置は、第１共有メモリと第２共有メモリとを介して、携帯情報端末から、携帯情報端末のハードウェアキーに対応付けられた処理の識別情報を受信する。第２識別情報送信部は、識別情報が選択されたことを示す情報を、第２共有メモリと第１共有メモリとを介して携帯情報端末に送信する。このため、携帯情報端末では、表示装置側で選択された識別情報に対応する処理を実行することができる。ユーザは表示装置を操作することによって、携帯情報端末に、ハードウェアキーに対応付けられた処理を実行させることができる。また、第２識別情報受信部が携帯情報端末から識別情報を受信する。このため、いかなる種類の携帯情報端末が表示装置に接続されようとも、ユーザは、表示装置を操作することによって、携帯情報端末に、ハードウェアキーに対応付けられた処理を実行させることができる。
【００２３】
本発明のさらに他の一態様に係る携帯情報端末は、表示装置との間でデータを共有するために利用される共有メモリと、ハードウェアキーに対応した処理の識別情報を前記共有メモリに書き込むことにより、前記表示装置に送信する識別情報送信部と、前記表示装置において前記共有メモリに書き込まれた、前記識別情報が選択されたことを示す情報を、前記共有メモリから読み込むことにより前記表示装置から受信する識別情報受信部と、前記識別情報受信部が受信した前記情報に対応する前記識別情報が示す処理を実行する処理実行部とを備える。
【００２４】
この構成によると、識別情報送信部は、共有メモリを介して、携帯情報端末のハードウェアキーに対応付けられた処理の識別情報を表示装置に送信する。識別情報受信部は、表示装置において識別情報が選択されたことを示す情報を、共有メモリを介して表示装置から受信する。このため、携帯情報端末では、表示装置側で選択された識別情報に対応する処理を実行することができる。ユーザは表示装置を操作することによって、携帯情報端末に、ハードウェアキーに対応付けられた処理を実行させることができる。また、識別情報送信部が表示装置に識別情報を送信する。このため、いかなる種類の携帯情報端末が表示装置に接続されようとも、ユーザは、表示装置を操作することによって、携帯情報端末に、ハードウェアキーに対応付けられた処理を実行させることができる。
【００２５】
なお、本発明は、このような特徴的な処理部を備える表示装置として実現することができるだけでなく、表示装置に含まれる特徴的な処理部が実行する処理をステップとする表示装置の制御方法として実現することができる。また、表示装置に含まれる特徴的な処理部としてコンピュータを機能させるためのプログラムまたは表示装置の制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【００２６】
本発明によると、ユーザが表示装置を操作することによって、携帯情報端末に、ハードウェアキーに対応付けられた処理を実行させることができる。
【図面の簡単な説明】
【００２７】
【図１】一般的なスマートフォンの外観図であり、（ａ）は、スマートフォンの正面図であり、（ｂ）は、スマートフォンの右側面図である。
【図２】本発明の実施の形態１に係る表示システムのハードウェア構成を示す図である。
【図３】本発明の実施の形態１に係る表示システムの機能的な構成を示すブロック図である。
【図４】スマートフォンおよびテレビがＭＨＬケーブルにより接続された時点において実行される処理の流れを示すフローチャートである。
【図５】第１識別情報送信部が第１共有メモリに書き込む識別情報および選択フラグの一例を示す図である。
【図６】第２識別情報受信部が第２共有メモリから読み込む識別情報の一例を示す図である。
【図７】テレビの画面に表示されるメニュー情報の一例を示す図である。
【図８】ユーザがメニュー情報の中からメニュー項目を選択することにより、選択したメニュー項目に対応する処理をスマートフォンに実行させるための処理の流れを示すフローチャートである。
【図９】ユーザによるメニュー項目の選択処理を説明するための図である。
【図１０】第２識別情報送信部による選択フラグの更新処理について説明する図である。
【図１１】検索処理実行時のスマートフォンおよびテレビの画面の一例を示す図である。
【図１２】４番目のメニュー項目が選択された場合の選択フラグの更新処理について説明するための図である。
【図１３】２つのハードウェアキーを同時に押した状態を示す図である。
【図１４】第１識別情報送信部が第１共有メモリに書き込む識別情報および選択フラグの一例を示す図である。
【図１５】ユーザによるメニュー項目の選択処理を説明するための図である。
【図１６】７番目のメニュー項目が選択された場合の選択フラグの更新処理について説明するための図である。
【図１７】本発明の実施の形態２に係る表示システムの機能的な構成を示すブロック図である。
【図１８】スマートフォンおよびテレビがＭＨＬケーブルにより接続された時点において実行される処理の流れを示すフローチャートである。
【図１９】テレビの画面に表示されたアイコン画像の一例を示す図である。
【図２０】スマートフォンのハードウェアキーの部分の一例を示す外観図である。
【図２１】スマートフォンのハードウェアキーの部分の一例を示す外観図である。
【図２２】スマートフォンのハードウェアキーの部分の一例を示す外観図である。
【発明を実施するための形態】
【００２８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２９】
（実施の形態１）
図１は、一般的なスマートフォンの外観図であり、（ａ）は、スマートフォンの正面図であり、（ｂ）は、スマートフォンの右側面図である。図１（ａ）に示すように、スマートフォン１００には、画像または映像を表示するための画面１０２と、スマートフォン１００を操作するためのハードウェアキー群１０１とが備えられている。ハードウェアキー群１０１は、戻るキー１００１と、メニューキー１００２と、ホームキー１００４と、検索キー１００３とを含む。また、図１（ｂ）に示すように、スマートフォン１００は、電源キー１００６と、ボリュームアップキー１００７と、ボリュームダウンキー１００８とを含む。
【００３０】
これらのハードウェアキーのうち、いずれか１つのハードウェアキーをユーザが押すことにより、スマートフォン１００は、押されたハードウェアキーに対応する処理を実行する。戻るキー１００１が押されると、スマートフォン１００は、画面１０２に表示されている画像を１つ前の画像に切り替える処理を実行する。メニューキー１００２が押されると、スマートフォン１００は、画面１０２にメニュー画像を表示する。ホームキー１００４が押されると、スマートフォン１００は、画面１０２に予め定められているホーム画像を表示する。検索キー１００３が押されると、スマートフォン１００は、検索処理を実行する。電源キー１００６が押されると、スマートフォン１００は、電源をＯＮ状態からＯＦＦ状態へ、またはＯＦＦ状態からＯＮ状態へ切り替える。ボリュームアップキー１００７が押されると、スマートフォン１００は、スピーカの音量を大きくする。ボリュームダウンキー１００８が押されると、スマートフォン１００は、スピーカの音量を小さくする。
【００３１】
図２は、本発明の実施の形態１に係る表示システムのハードウェア構成を示す図である。
【００３２】
表示システム３００は、スマートフォン１００と、テレビ２００とを含む。
【００３３】
スマートフォン１００は、携帯情報端末の一例であり、映像や音声を出力する処理の他、検索処理などの各種処理を実行する。スマートフォン１００は、デコーダ１０４と、映像処理部１０６と、音声処理部１０８と、混合部１１０と、ＴＭＤＳ送信部１１２と、ＣＰＵ１１４とを含む。
【００３４】
デコーダ１０４は、スマートフォン１００のメモリ（図示せず）に記憶されているコンテンツデータまたは無線通信ネットワークを介して受信したコンテンツデータをデコードし、映像信号と音声信号を生成する。映像処理部１０６は、デコーダ１０４で生成された映像信号を、受信機側（テレビ２００）が受信できる最適な映像フォーマット（解像度）の信号に変換する。音声処理部１０８は、デコーダ１０４で生成された音声信号を、受信機側（テレビ２００）が受信できる最適な音声フォーマット（サンプリング周波数/量子化レベル/チャンネル数など）の信号に変換する。混合部１１０は、映像処理部１０６および音声処理部１０８においてそれぞれ所定の処理が施された映像信号および音声信号と、映像信号および音声信号の再生を制御するための制御情報とを混合することにより、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）のデジタル信号に変換する。ＴＭＤＳ送信部１１２は、混合部１１０で変換された後のデジタル信号をテレビ２００に対して送信する。ＣＰＵ１１４は、デコーダ１０４、映像処理部１０６、音声処理部１０８、混合部１１０およびＴＭＤＳ送信部１１２の動作を制御する。ＣＰＵ１１４は、スクラッチパッド１１６を含む。スクラッチパッド１１６は、ＭＨＬの規格においてサポートされるレジスタの一種であり、スクラッチパッド１１６に記憶されるデータと、後述するテレビ２００のスクラッチパッド２１４に記憶されるデータとは同期する。
【００３５】
テレビ２００は、ＴＭＤＳ受信部２０２と、映像処理部２０４と、音声処理部２０６と、ディスプレイ２０８と、スピーカ２１０と、ＣＰＵ２１２とを含む。
【００３６】
ＴＭＤＳ受信部２０２は、ＭＨＬのＴＭＤＳ伝送線３０２を介して、スマートフォン１００のＴＭＤＳ送信部１１２と接続されており、ＴＭＤＳ送信部１１２から送信されたデジタル信号を受信し、受信したデジタル信号を、映像信号、音声信号および制御情報に分離する。映像処理部２０４は、ＴＭＤＳ受信部２０２で分離された映像信号を、ディスプレイ２０８に表示可能な形式の映像信号に変換する。音声処理部２０６は、ＴＭＤＳ受信部２０２で分離された音声信号を、スピーカ２１０から出力可能な形式の音声信号に変換する。ディスプレイ２０８は、映像処理部２０４で変換後の映像信号を表示する。スピーカ２１０は、音声処理部２０６で変換後の音声信号を出力する。ＣＰＵ２１２は、ＴＭＤＳ受信部２０２、映像処理部２０４および音声処理部２０６の動作を制御する。特に、ＣＰＵ２１２は、ＴＭＤＳ受信部２０２で分離された制御情報に基づいて、ディスプレイ２０８およびスピーカ２１０から適切なタイミングで映像および音声が出力するように、映像処理部２０４および音声処理部２０６の動作タイミング等を制御する。
【００３７】
ＣＰＵ２１２は、スクラッチパッド２１４を含む。ＭＨＬの規格においてサポートされるレジスタの一種であり、スクラッチパッド２１４に記憶されるデータと、スマートフォン１００のスクラッチパッド１１６に記憶されるデータとは同期する。すなわち、スクラッチパッド１１６およびスクラッチパッド２１４の一方に記憶されているデータが、データの追加、変更、削除等により更新された場合には、他方にもその更新が反映される。同期されるデータは、ＣＢＵＳ線３０４を介して、スマートフォン１００およびテレビ２００の間でやり取りされる。
【００３８】
上述したＴＭＤＳ伝送線３０２およびＣＢＵＳ線３０４は、スマートフォン１００とテレビ２００とを接続するＭＨＬケーブルの中に含まれている。
【００３９】
図３は、表示システム３００の機能的な構成を示すブロック図である。
【００４０】
表示システム３００は、スマートフォン１００と、テレビ２００とを含む。
【００４１】
スマートフォン１００は、第１共有メモリ１２２と、第１識別情報送信部１２４と、第１識別情報受信部１２６と、処理実行部１２８とを備える。
【００４２】
第１共有メモリ１２２は、テレビ２００との間でデータを共有するために利用される。例えば、第１共有メモリ１２２は、スクラッチパッド１１６である。
【００４３】
第１識別情報送信部１２４は、スマートフォン１００が備える複数のハードウェアキーそれぞれに対応したスマートフォン１００の処理の識別情報を第１共有メモリ１２２に書き込むことにより、テレビ２００に送信する。第１識別情報受信部１２６は、ユーザにより選択されたスマートフォン１００の処理の識別情報（後述するメニュー情報のメニュー項目）を、第１共有メモリ１２２から読み込むことによりテレビ２００から受信する。処理実行部１２８は、第１識別情報受信部１２６が受信した、ユーザにより選択された識別情報が示す処理を実行する。第１識別情報送信部１２４、第１識別情報受信部１２６および処理実行部１２８は、ＣＰＵ１１４がスマートフォン１００を動作させるためのプログラムを実行したときに機能する機能的な処理部である。
【００４４】
テレビ２００は、第２共有メモリ２２２と、第２識別情報受信部２２４と、表示制御部２２６と、選択信号受信部２２８と、第２識別情報送信部２３０とを含む。
【００４５】
第２共有メモリ２２２は、スマートフォン１００との間でデータを共有するために利用され、第１共有メモリ１２２とデータの内容が同期している。例えば、第２共有メモリ２２２は、スクラッチパッド２１４である。
【００４６】
第２識別情報受信部２２４は、スマートフォン１００が備える複数のハードウェアキーそれぞれに対応したスマートフォン１００の処理の識別情報を第２共有メモリ２２２から読み込むことにより、スマートフォン１００から各識別情報を受信する。表示制御部２２６は、第２識別情報受信部２２４が受信した各識別情報をメニュー項目とするメニュー情報を画面に表示する。選択信号受信部２２８は、メニュー情報に含まれるメニュー項目のうち、ユーザにより選択されたメニュー項目を示す選択信号を受信する。第２識別情報送信部２３０は、第２識別情報受信部２２４が受信した選択信号が示すメニュー項目に対応する処理の識別情報が選択されたことを示す情報を、第２共有メモリ２２２に書き込むことによりスマートフォン１００に送信する。第２識別情報受信部２２４、表示制御部２２６、選択信号受信部２２８および第２識別情報送信部２３０は、ＣＰＵ２１２がテレビ２００を動作させるためのプログラムを実行したときに機能する機能的な処理部である。
【００４７】
以下、実施の形態１に係る表示システム３００が実行する処理について、具体例を挙げながら、より詳細に説明する。
【００４８】
図４は、スマートフォン１００およびテレビ２００がＭＨＬケーブルにより接続された時点において実行される処理の流れを示すフローチャートである。
【００４９】
スマートフォン１００およびテレビ２００がＭＨＬケーブルにより接続されると、スマートフォン１００およびテレビ２００が、相互認証処理等を行うことで、スマートフォン１００およびテレビ２００の接続が完了する（Ｓ２）。
【００５０】
接続完了後、第１識別情報送信部１２４は、スマートフォン１００が備える複数のハードウェアキーそれぞれに対応したスマートフォン１００の処理の識別情報を第１共有メモリ１２２に書き込む（Ｓ４）。例えば、第１識別情報送信部１２４は、図５に示すように、識別番号と処理名称との組からなる識別情報をスマートフォン１００の処理ごとに第１共有メモリ１２２に書き込む。例えば、識別番号１の識別情報は、戻るキー１００１を押したときにスマートフォン１００が実行する処理の識別情報である。識別情報の書き込みに加え、第１識別情報送信部１２４は、識別情報に対応させて選択フラグを第１共有メモリ１２２に書き込む。識別番号は、スマートフォン１００の処理を識別するための番号であり、スマートフォン１００の処理ごとに予め設けられている。処理名称は、識別番号で特定されるスマートフォン１００の処理を表す名称である。選択フラグは、ユーザによるテレビ２００のリモコンの操作により、テレビ２００がメニュー項目（処理の識別情報）の選択信号を受信したか否かを示す情報であり、選択信号を受信した場合には「１」を示し、受信していない場合には「０」を示す。この段階では、テレビ２００は選択信号を受信していないため、選択フラグは全て「０」となっている。
【００５１】
識別情報書き込み処理（Ｓ４）の後、スマートフォン１００のＣＰＵ１１４からテレビ２００のＣＰＵ２１２に対して第２共有メモリ２２２の記憶内容の更新指示が行われる（Ｓ６）。更新指示に従い、ＣＰＵ２１２は、ＣＢＵＳ線３０４を介して、第１共有メモリ１２２より識別情報および選択フラグを読み込み、読み込んだ識別情報および選択フラグを第２共有メモリ２２２に書き込む（Ｓ８）。これにより、第２共有メモリ２２２の記憶内容が、図５に示したものに更新される。
【００５２】
第２識別情報受信部２２４は、スマートフォン１００の処理の識別情報を第２共有メモリ２２２から読み込む。例えば、第２識別情報受信部２２４は、図６に示すような識別情報を第２共有メモリ２２２から読み込む。これにより、第２識別情報受信部２２４は、第１共有メモリ１２２および第２共有メモリ２２２を介して、スマートフォン１００から各識別情報を受信する（Ｓ１０）。
【００５３】
表示制御部２２６は、第２識別情報受信部２２４が受信した各識別情報をメニュー項目とするメニュー情報を画面に表示する（Ｓ１２）。図７は、テレビ２００の画面に表示されるメニュー情報の一例を示す図である。テレビ２００の画面には、識別情報をメニュー項目とするメニュー情報が表示されている。例えば、１つ目のメニュー項目として、識別番号「１」と処理名称「戻る」が表示されている。
【００５４】
図８は、ユーザがメニュー情報の中からメニュー項目を選択することにより、選択したメニュー項目に対応する処理をスマートフォン１００に実行させるための処理の流れを示すフローチャートである。
【００５５】
ユーザは、テレビ２００のリモコンを操作し、テレビ２００の画面に表示されている識別情報の中から、スマートフォン１００に実行させる処理の識別情報（メニュー項目）を選択する。これにより、選択信号受信部２２８は、リモコンからメニュー情報に含まれる識別情報のうちユーザにより選択されたメニュー項目を示す選択信号を受信する（Ｓ１４）。このとき、表示制御部２２６は、ユーザが選択したメニュー項目を他の識別情報と区別して表示する（Ｓ１６）。例えば、図９に示すように、ユーザは、テレビ２００のリモコン２４０のカーソルキーを押すことで、４番目のメニュー項目にカーソル２４２を移動させ、その位置で、リモコン２４０の決定キーを押す。このような処理により、選択信号受信部２２８は、リモコン２４０から、４番目のメニュー項目の選択信号を受信する。また、表示制御部２２６は、４番目のメニュー項目の位置にカーソル２４２を表示することにより、他のメニュー項目と区別した表示を行う。
【００５６】
メニュー項目の選択が行われると、第２識別情報送信部２３０は、第２共有メモリ２２２に記憶されている選択フラグのうち、選択されたメニュー項目に対応する処理の識別情報の選択フラグの値を「１」に更新する（Ｓ１８）。例えば、図９に示したように、選択信号受信部２２８が、４番目のメニュー項目の選択信号を受信した場合には、図１０に示すように、第２識別情報送信部２３０は、４番目の識別情報に対応した選択フラグの値を「１」に更新する。なお、前回の選択処理において選択され、今回の選択処理において選択されなかったメニュー項目については、選択フラグの値が「１」になっている場合がある。この場合、第２識別情報送信部２３０は、当該メニュー項目について、選択フラグの値を「１」から「０」に更新する。
【００５７】
第２共有メモリ２２２の記憶内容更新処理（Ｓ１８）の後、テレビ２００のＣＰＵ２１２からスマートフォン１００のＣＰＵ１１４に対して第１共有メモリ１２２の記憶内容の更新指示が行われる（Ｓ２０）。更新指示に従い、ＣＰＵ１１４は、ＣＢＵＳ線３０４を介して、第２共有メモリ２２２より識別情報および選択フラグを読み込み、読み込んだ識別情報および選択フラグを第１共有メモリ１２２に書き込む（Ｓ２２）。これにより、第１共有メモリ１２２の記憶内容が、図１０に示したものに更新される。
【００５８】
第１識別情報受信部１２６は、ユーザにより選択されたメニュー項目に対応するスマートフォン１００の処理の識別情報を、第１共有メモリ１２２から読み込むことによりテレビ２００から受信する（Ｓ２４）。例えば、図１０に示す識別情報と選択フラグとが第１共有メモリ１２２に記憶されている場合には、第１識別情報受信部１２６は、選択フラグが「１」の識別情報（４，検索）を第１共有メモリ１２２から読み込むことによりテレビ２００から受信する。
【００５９】
処理実行部１２８は、第１識別情報受信部１２６が受信した、つまり、第１共有メモリ１２２から読み込んだ、ユーザにより選択されたメニュー項目に対応する識別情報が示す処理を実行する（Ｓ２６）。例えば、識別情報（４，検索）を受信した場合には、処理実行部１２８は、検索処理を実行する。つまり、処理実行部１２８は、検索サイトに接続し、図１１に示すように、検索サイトのウェブページを画面に表示する。処理実行部１２８は、スマートフォン１００の映像処理部１０６、混合部１１０、ＴＭＤＳ送信部１１２等を操作し、ウェブページの画像を、ＴＭＤＳ伝送線３０２を介してテレビ２００に送信する。テレビ２００は、ＴＭＤＳ受信部２０２、映像処理部２０４を用いて、スマートフォン１００から送信されたウェブページの画像をテレビ２００の画面に表示する。これにより、ユーザは、テレビ２００の画面を見ながら、テレビ２００のリモコン２４０を操作することによりインターネット検索を行うことができる。
【００６０】
また、ユーザは、スマートフォン１００で再生しているコンテンツをテレビ２００で見ている場合に、音量が小さいため音量を大きくしようとしてテレビ２００のリモコンを操作し、スピーカ２１０の音量を大きくする場合がある。しかし、スピーカ２１０の音量を大きくしようとしてリモコンを操作しても、音量が大きくならない場合がある。これは、スマートフォン１００でのコンテンツの再生音量が小さいためである。このような場合には、通常、スマートフォン１００のボリュームアップキー１００７を押して、コンテンツの再生音量を大きくする必要がある。本実施の形態では、ユーザは、図１２（ａ）に示すように、ボリュームアップキー１００７を直接押す代わりに、テレビ２００に表示されたメニュー情報からコンテンツの再生音量を大きくするための５番目のメニュー項目を選択する。これにより、図１２（ｂ）に示すように、スマートフォン１００で再生されるコンテンツの再生音量を大きくすることができ、それに伴い、テレビ２００のスピーカ２１０からの音量を大きくすることができる。
【００６１】
以上説明したように、実施の形態１によると、テレビ２００を操作することにより、スマートフォン１００のハードウェアキーに対応付けられた処理を、スマートフォン１００に実行させることができる。
【００６２】
また、第２識別情報受信部２２４がテレビ２００に接続されたスマートフォン１００から各識別情報を受信する。このため、いかなる種類のスマートフォン１００がテレビ２００に接続されようとも、ユーザは、テレビ２００を操作することによって、スマートフォン１００に、ハードウェアキーに対応付けられた処理を実行させることができる。
【００６３】
また、スマートフォン１００およびテレビ２００の各々がＭＨＬのスクラッチパッドを用いているため、簡易な方法で、識別情報および選択フラグの受渡しを行うことができる。
【００６４】
また、各スクラッチパッドに、識別情報が選択されたか否かを示すフラグ情報を書き込むこととしている。このため、簡易な方法で、選択された識別情報をテレビ２００からスマートフォン１００に通知することができる。
【００６５】
（実施の形態１の変形例）
実施の形態１では、ユーザがスマートフォン１００が備えるそれぞれのハードウェアキーを押したときに実行される処理を、テレビ２００のリモコン２４０を用いてスマートフォン１００に実行させる例について説明した。しかし、ユーザがスマートフォン１００が備えるハードウェアキーのうち、２以上のハードウェアキーを押すことにより実行される処理も存在する。ユーザが２つのハードウェアキーを同時に押した場合には、スマートフォン１００は、押されたハードウェアキーの組み合わせに対応した処理を実行する。例えば、図１３に示すように、ユーザがメニューキー１００２と電源キー１００６とを同時に押した場合には、スマートフォン１００は、画面１０２に表示されている画像をメモリに一時的に記憶するスクリーンショット処理を実行する。図１３は、右手の人差し指でメニューキー１００２を押し、左手の人差し指で電源キー１００６を押している状態を示している。本変形例では、ユーザが２以上のハードウェアキーを同時に押すことにより実行される処理を、テレビ２００のリモコン２４０を用いてスマートフォン１００に実行させる例について説明する。
【００６６】
例えば、処理の識別情報書き込み処理（Ｓ４）において、第１識別情報送信部１２４は、図１４に示すようなスクリーンショット処理の識別情報を７番目の識別情報として第１共有メモリ１２２に書き込み、それに対応する選択フラグを第１共有メモリ１２２に書き込む。
【００６７】
これにより、図１５に示すように、テレビ２００の画面には、７番目の識別情報が追加されたメニュー情報が表示される。ユーザがテレビ２００のリモコン２４０を操作して７番目のメニュー項目（識別情報）を選択することにより、Ｓ１８〜Ｓ２２の処理において、第１共有メモリ１２２および第２共有メモリ２２２の記憶内容が、図１６に示すものに更新される。
【００６８】
実行処理（Ｓ２６）において、処理実行部１２８は、ユーザが選択した７番目の識別情報が示すスクリーンショット処理を実行する。
【００６９】
このように、１つのハードウェアキーが押されたときに実行される処理の識別情報と同様に、２つのハードウェアキーが同時に押されたときに実行される処理の識別情報を取り扱う。これにより、ユーザは、テレビ２００のリモコン２４０を用いて、２つのハードウェアキーが同時に押されたときに実行される処理を、スマートフォン１００に実行させることができる。
【００７０】
（実施の形態２）
実施の形態１では、メニュー情報として、識別番号および処理名称を表示することとした。しかし、スマートフォンを操作するユーザは、処理名称を意識せずにハードウェアキーを操作している場合がある。このようなユーザに対しては、処理名称をテレビの画面上に表示するよりも、スマートフォンのハードウェアキーのアイコン画像をテレビの画面上に表示する方が、直感的にスマートフォンを操作することができる。本実施の形態では、テレビの画面にメニュー情報を表示する代わりに、スマートフォンのハードウェアキーのアイコン画像を表示する。
【００７１】
以下、実施の形態１と異なる点を中心に説明を行い、実施の形態１と同様の部分については適宜説明を省略する。
【００７２】
実施の形態２に係る表示システムのハードウェア構成は、図２に示した実施の形態１に係る表示システムのハードウェア構成を同じである。このため、その詳細な説明はここでは繰り返さない。
【００７３】
図１７は、表示システム３００の機能的な構成を示すブロック図である。
【００７４】
図１７に示す表示システム３００は、図３に示した表示システム３００の構成に、一部の処理部が追加されている。つまり、スマートフォン１００に画像送信部１２９が追加され、テレビ２００に画像受信部２２７が追加されている。
【００７５】
画像送信部１２９は、テレビ２００に対して、スマートフォン１００が備える複数のハードウェアキーそれぞれのアイコン画像を送信する。画像送信部１２９は、デコーダ１０４、映像処理部１０６、混合部１１０、ＴＭＤＳ送信部１１２等により構成される。
【００７６】
画像受信部２２７は、スマートフォン１００から、スマートフォン１００が備える複数のハードウェアキーそれぞれのアイコン画像を受信する。画像受信部２２７は、ＴＭＤＳ受信部２０２により構成される。
【００７７】
スマートフォン１００およびテレビ２００のその他の構成要素は、図３に示したスマートフォン１００およびテレビ２００の構成要素と同様の機能を有する。このため、その詳細な説明はここでは繰り返さない。
【００７８】
以下、実施の形態２に係る表示システム３００が実行する処理について、具体例を挙げながら、より詳細に説明する。
【００７９】
図１８は、スマートフォン１００およびテレビ２００がＭＨＬケーブルにより接続された時点において実行される処理の流れを示すフローチャートである。
【００８０】
Ｓ２〜Ｓ１０の処理は、図４に示したものと処理内容が同じであるため、その詳細な説明はここでは繰り返さない。
【００８１】
Ｓ１０の後、画像送信部１２９と画像受信部２２７との間で、ＴＭＤＳ伝送線３０２を経由したアイコン画像の転送のためのセッションの確立が行われる（Ｓ３２）。
【００８２】
セッションが確立した後、画像送信部１２９は、スマートフォン１００のハードウェアキーのアイコン画像の送信準備を行う（Ｓ３４）。具体的には、スマートフォン１００のメモリ（図示せず）に記憶されているアイコン画像を、ＴＭＤＳ伝送線３０２を介してテレビ２００に送信可能なフォーマットのデータに変換する。
【００８３】
一方、テレビ２００の表示制御部２２６は、映像をミュートする（Ｓ３６）。これは、スマートフォン１００から受信したアイコン画像が画面に表示されるのを防ぐためである。
【００８４】
Ｓ３４およびＳ３６の処理の後、画像送信部１２９は、アイコン画像をＴＭＤＳ伝送線３０２から画像受信部２２７に向けて送信する（Ｓ３８）。なお、アイコン画像には、識別情報の識別番号が付属情報として付与されているものとする。
【００８５】
画像受信部２２７は、画像送信部１２９から送信されたアイコン画像を受信する（Ｓ４０）。
【００８６】
表示制御部２２６は、図７に示したようなメニュー情報の代わりに、画像受信部２２７が受信したアイコン画像をテレビ２００の画面に表示する。図１９は、テレビ２００の画面に表示されたアイコン画像の一例を示す図である。図１９に示すようにテレビ２００の画面には、アイコン画像２００１〜２００４が表示される。アイコン画像２００１は、戻るキー１００１のアイコン画像であり、アイコン画像２００２は、メニューキー１００２のアイコン画像であり、アイコン画像２００３は、検索キー１００３のアイコン画像であり、アイコン画像２００４は、ホームキー１００４のアイコン画像である。ユーザは、テレビ２００のリモコン２４０を操作して、テレビ２００の画面に表示されているアイコン画像２００１〜２００４の中から、いずれか１つのアイコン画像を選択する。
【００８７】
ユーザがアイコン画像を選択した後の表示システム３００の処理の流れは、図８に示したものと同様である。以下では、異なる部分について図８を用いて説明する。
【００８８】
選択信号受信処理（Ｓ１４）において、実施の形態１では、選択信号受信部２２８が、ユーザにより選択されたメニュー項目を示す選択信号を受信したが、実施の形態２では、選択信号受信部２２８が、ユーザにより選択されたアイコン画像を示す選択信号を受信し、アイコン画像の付属情報である識別番号から、選択された処理の識別情報を特定する。
【００８９】
以降の処理は、ユーザにより選択されたメニュー項目（識別情報）の代わりに、選択信号受信部２２８により特定された識別情報を用いる点以外は、図８のＳ１６以降の処理と同じである。このため、その詳細な説明はここでは繰り返さない。
【００９０】
以上説明したように、実施の形態２によると、実施の形態１で説明した作用、効果に加えて、テレビ２００の画面にスマートフォン１００のハードウェアキーのアイコン画像が表示される。ユーザは、テレビ２００のリモコン２４０等を操作してアイコン画像を選択することで、スマートフォン１００を操作することができる。このため、ユーザは、メニュー情報からメニュー項目を選択する場合に比べて、直感的にスマートフォン１００の処理の識別情報を選択することができる。
【００９１】
以上、本発明の実施の形態に係る表示システムについて説明したが、本発明は、この実施の形態に限定されるものではない。
【００９２】
例えば、図１に示したスマートフォン１００のハードウェアキーは一例であり、ハードウェアキーの種類および配置は図１に示したものに限定されない。
【００９３】
また、スクラッチパッド１１６およびスクラッチパッド２１４は、レジスタの一種であるとして説明を行った。しかし、スクラッチパッド１１６およびスクラッチパッド２１４の記憶内容の同期が取れるのであれば、スクラッチパッド１１６およびスクラッチパッド２１４がそれぞれ主記憶装置等のＣＰＵの外部のメモリに設けられていても良い。
【００９４】
また、上記の各装置は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【００９５】
さらに、上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００９６】
さらにまた、上記の各装置を構成する構成要素の一部または全部は、各装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９７】
また、本発明は、上記に示す方法であるとしても良い。また、本発明は、これらの方法をコンピュータにより実現するコンピュータプログラムであるとしても良いし、前記コンピュータプログラムからなるデジタル信号であるとしても良い。
【００９８】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ（登録商標））、半導体メモリなどに記録したものとしても良い。また、これらの非一時的な記録媒体に記録されている上記デジタル信号であるとしても良い。
【００９９】
また、本発明は、上記コンピュータプログラムまたは上記デジタル信号を、電気通信回線、無線または有線通信回線、インターネットを代表とするネットワーク、データ放送等を経由して伝送するものとしても良い。
【０１００】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１０１】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１０２】
さらに、上記実施の形態及び上記変形例をそれぞれ組み合わせるとしても良い。
【産業上の利用可能性】
【０１０３】
本発明は、スマートフォンに接続されたテレビに適用でき、特にスマートフォンで再生される映像を画面表示するテレビ等に適用できる。
【符号の説明】
【０１０４】
１００  スマートフォン
１０１  ハードウェアキー群
１０２  画面
１０４  デコーダ
１０６  映像処理部
１０８  音声処理部
１１０  混合部
１１２  ＴＭＤＳ送信部
１１４、２１２  ＣＰＵ
１１６、２１４  スクラッチパッド
１２２  第１共有メモリ
１２４  第１識別情報送信部
１２６  第１識別情報受信部
１２８  処理実行部
１２９  画像送信部
２００  テレビ
２０２  ＴＭＤＳ受信部
２０４  映像処理部
２０６  音声処理部
２０８  ディスプレイ
２１０  スピーカ
２２２  第２共有メモリ
２２４  第２識別情報受信部
２２６  表示制御部
２２７  画像受信部
２２８  選択信号受信部
２３０  第２識別情報送信部
２４０  リモコン
２４２  カーソル
３００  表示システム
３０２  ＴＭＤＳ伝送線
３０４  ＣＢＵＳ線
１００１  戻るキー
１００２  メニューキー
１００３  検索キー
１００４  ホームキー
１００５  タスクキー
１００６  電源キー
１００７  ボリュームアップキー
１００８  ボリュームダウンキー
２００１〜２００４  アイコン画像
【図１】
2014075094.tif 000003
【図２】
2014075094.tif 000004
【図３】
2014075094.tif 000005
【図４】
2014075094.tif 000006
【図５】
2014075094.tif 000007
【図６】
2014075094.tif 000008
【図７】
2014075094.tif 000009
【図８】
2014075094.tif 000010
【図９】
2014075094.tif 000011
【図１０】
2014075094.tif 000012
【図１１】
2014075094.tif 000013
【図１２】
2014075094.tif 000014
【図１３】
2014075094.tif 000015
【図１４】
2014075094.tif 000016
【図１５】
2014075094.tif 000017
【図１６】
2014075094.tif 000018
【図１７】
2014075094.tif 000019
【図１８】
2014075094.tif 000020
【図１９】
2014075094.tif 000021
【図２０】
2014075094.tif 000022
【図２１】
2014075094.tif 000023
【図２２】
2014075094.tif 000024